(57)【要約】【課題】  本発明の目的は、タービン動翼に作用する応力及び温度を予め解析し、シュラウドカバーのクリープ損傷が著しいと予測される部位の冷却を行う貫通冷却孔を施けることで、クリープ損傷を効果的に低減できるガスタービン動翼とそれを用いたガスタービン及びその発電プラントを提供することにある。【解決手段】  本発明は、先端外周部にシュラウドカバーを有する翼部に連なりプラットフォーム、シャンク及びダブテイルを順次有し、該ダブテイルから前記シュラウドカバーに亘って貫通して形成された内部冷却孔を有するガスタービン動翼において、前記シュラウドカバーはその根元近傍を冷却するその外表面に開口し前記内部冷却孔へ連なる貫通冷却孔を有することを特徴とする。【選択図】  図１
2006316750.tif 000002
【特許請求の範囲】
【請求項１】
先端外周部にシュラウドカバーを有する翼部に連なりプラットフォーム、シャンク及びダブテイルを順次有し、該ダブテイルから前記シュラウドカバーに亘って貫通して形成された内部冷却孔を有するガスタービン動翼において、前記シュラウドカバーはその外表面に開口し前記内部冷却孔へ連なる貫通冷却孔を有することを特徴とするガスタービン動翼。
【請求項２】
請求項１において、前記シュラウドカバーは、外周側に燃焼ガスの漏れを防止し、かつ隣接するタービン動翼と嵌合し合うことで自身の振動を抑制する平面形状を有することを特徴とするガスタービン動翼。
【請求項３】
請求項１又は２において、前記シュラウドカバーはその外周面にその回転方向に沿って形成された突起状のシール刃を有することを特徴とするガスタービン動翼。
【請求項４】
請求項１〜３のいずれかにおいて、前記貫通冷却孔は、前記シュラウドカバーの根元に開口して形成されていることを特徴とするガスタービン動翼。
【請求項５】
請求項１〜４のいずれかにおいて、前記貫通冷却孔は、前記翼部の回転方向に対して反対面側となる前記シュラウドカバーの根元に開口して形成されていることを特徴とするガスタービン動翼。
【請求項６】
請求項３において、前記貫通冷却孔は、前記シール刃の外周側に開口して形成されていることを特徴とするガスタービン動翼。
【請求項７】
請求項１〜６のいずれかにおいて、前記貫通冷却孔は、前記ダブテイルからその全長の７５％より前記シュラウドカバー側に形成されていることを特徴とするガスタービン動翼。
【請求項８】
請求項１〜７のいずれかにおいて、前記貫通冷却孔は、前記シュラウドカバーの使用温度及び曲げ応力に基づいて設定されたクリープき裂が発生する対象部位に形成されることを特徴とするガスタービン動翼。
【請求項９】
請求項１〜８のいずれかにおいて、前記貫通冷却孔は、前記開口する表面から２０ｍｍ以内に設けられていることを特徴とするガスタービン動翼。
【請求項１０】
請求項１〜９のいずれかにおいて、前記貫通冷却孔は、放電加工、レーザー加工及びドリル加工のいずれかによって形成されることを特徴とするガスタービン動翼。
【請求項１１】
請求項８〜１０のいずれかにおいて、前記対象部位の表面に遮熱用コーティングが施されていることを特徴とするガスタービン動翼。
【請求項１２】
請求項１〜１１のいずれかにおいて、前記貫通冷却孔の形成に当り、前記内部冷却孔の位置をＸ線撮影により行なうことを特徴とするガスタービン動翼。
【請求項１３】
大気から吸い込んだ空気を作動流体として圧縮する圧縮機と、該圧縮された空気に燃料を混合して燃焼し高温高圧の燃焼ガスを生成する燃焼器と、前記燃焼ガスの膨張の際にガスタービン動翼による回転動力を発生するタービンとを有するガスタービンにおいて、前記ガスタービン動翼が請求項１〜１２のいずれかに記載のガスタービン動翼からなることを特徴とするガスタービン。
【請求項１４】
請求項１３に記載のガスタービンによる前記回転動力によって電力を発生させる発電機を有することを特徴とするガスタービン発電プラント。
【発明の詳細な説明】
【技術分野】
【０００１】
本発明は、タービンにおいて、特に燃焼ガスの膨張の際に発生する運動エネルギーを回転動力へ変換する新規なガスタービン動翼とそれを用いたガスタービン及びその発電プラントに関する。
【背景技術】
【０００２】
図１２は、ガスタービンの一般的な構造を示す断面図である。ガスタービンは大きく分けて圧縮機１、燃焼器２及びタービン３から構成されている。圧縮機１は大気から吸い込んだ空気を作動流体として断熱圧縮し、燃焼器２は圧縮機１から供給された圧縮空気に燃料を混合し燃焼することで高温高圧のガスを生成し、そしてタービン３は燃焼器２から導入した燃焼ガスの膨張の際に回転動力を発生する。タービン３からの排気は大気中に放出される。タービン３にて発生した回転動力から圧縮機１を駆動する動力を差し引いた残りの動力が、ガスタービンの発生動力となり発電機を駆動する。
【０００３】
図１２に示すように、タービンは、タービン動翼４、燃焼ガスが膨張する過程において流れを整流するタービン静翼５及びタービン動翼４が外周側に固定されるタービンロータ６からなる。
【０００４】
図１３は、従来のタービン動翼のシュラウドカバーを示す斜視図である。図１３に示すように、タービン動翼４は、燃焼ガスの膨張の際に発生する運動エネルギーを回転動力へ変換するために外表面は高温となり、外周側に燃焼ガスが漏れないように、かつ隣接するタービン動翼４と嵌合し合うことで振動を抑制するシュラウドカバー７を有する。
【０００５】
特許文献１においては、シュラウドカバー全体の冷却を目的として、シュラウドカバーに翼内部も内部冷却孔に連通するプリナムが設けられ、そのプリナムには延在する複数の排出孔がシュラウドカバーの周辺に開口して設けられている。それによって、シュラウドカバーの冷却によってクリープ破損が生じる可能性を少なくするものである。
【０００６】
又、特許文献２においては、シュラウドカバーを冷却するために２つのシュラウド冷却用空気孔が設けられ、シュラウドカバーの冷却によってクリープ破損が生じる可能性を少なくするものである。
【０００７】
【特許文献１】特開２０００−２９１４０５号公報
【特許文献２】特表平１１−５００５０７号公報
【発明の開示】
【発明が解決しようとする課題】
【０００８】
近年、ガスタービン設備は、省エネルギーを目的として高効率化が求められるようになってきた。高効率化の手段としては圧縮機圧力比の上昇、燃焼温度の上昇が採用される傾向にある。これらはいずれもタービン動翼に作用する温度の上昇に直結するために、今後更に高温環境下に曝される事が予想され、必然的に高強度化及び長寿命化が求められている。
【０００９】
又、近年、電力料金の値下げに対する社会的な要望が強まってきている中で、発電コストの低減が急務となっている。特にタービン動翼などの高温部品の補修費用は、ガスタービン全体の補修費用の多くを占めており、定期検査期間及び工数の短縮が求められている。
【００１０】
しかしながら特許文献１では、シュラウドカバーに複雑なプリナムを施工する必要があるために、作業効率の向上には限界があった。また、応力集中部である冷却孔が複数存在するために、タービン動翼の信頼性を十分に確保できるとは言えないものである。
【００１１】
前述の図１３に示すように、タービン動翼４の中でもシュラウドカバー７は作用温度、負荷応力ともに過酷な環境にさらされており、片持ち梁状となったシュラウドカバー７の根元８においてはクリープ損傷によりクリープき裂９が発生する可能性があり、タービン動翼４の寿命を律する可能性がある。このようなクリープき裂９の対策が必要である。これらのいずれの引用文献においてもシュラウドカバーの冷却によってクリープ破損を減少するものであるが、片持ち梁状となったシュラウドカバー７の根元８でのクリープ損傷については全く考慮されていない。
【００１２】
本発明の目的は、タービン動翼に作用する応力及び温度の解析に基づいてシュラウドカバーのクリープ損傷が著しいと予測される対象部位の冷却を行う貫通冷却孔を施けることで、クリープ損傷を効果的に低減できるガスタービン動翼とそれを用いたガスタービン及びその発電プラントを提供することにある。
【課題を解決するための手段】
【００１３】
本発明のタービン動翼は、作用する応力及び温度を予め解析により求めておき、クリープ損傷が著しいと予測される部位の冷却を目的とした貫通冷却孔を、表面から内部冷却孔へ通じるように施工することを特徴とする。
【００１４】
又、設計の時点ではクリープ損傷が軽微と判断された部位が、設計仕様とは異なる負荷を受け、運用にともないクリープ損傷が著しいことが確認された部位についても、表面から内部冷却孔へ通じる貫通冷却孔を設けることを特徴としている。
【発明の効果】
【００１５】
本発明によれば、タービン動翼に作用する応力及び温度に基づいてシュラウドカバーのクリープ損傷が著しいと予測される対象部位の冷却を行う貫通冷却孔を施けることで、クリープ損傷を効果的に低減できるガスタービン動翼とそれを用いたガスタービン及びその発電プラントを提供することができる。
【発明を実施するための最良の形態】
【００１６】
以下、本発明を実施するための最良の形態を具体的な実施例によって説明する。
【実施例１】
【００１７】
図１は、本発明に係るガスタービン動翼を示す斜視図である。本発明に係るガスタービン動翼４は、先端外周部にシュラウドカバー７を有する翼部２０に連なりプラットフォーム２１、シャンク２２及びダブテイル２３を順次有し、ダブテイル２３からシュラウドカバー７に開口し全体に亘って真っ直ぐに貫通して形成された空気による内部冷却孔１１を有する。図中、シュラウドカバー７は翼部２０と切り離されているが、一体のものである。本実施例に係るガスタービン動翼４は、以下に説明する直径２〜５ｍｍ程度の貫通冷却孔１２を有するものであり、２段目及び３段目に係り、更に、Ｎｉ基合金によって全体が一体に精密鋳造鋳物によって形成された等軸晶、一方向凝固、単結晶のいずれでもよい。
【００１８】
シュラウドカバー７は外周側に燃焼ガスが漏れないようにその回転方向に沿いその全長さに亘って形成された突起状のシール刃１４と、隣接するタービン動翼４と嵌合し合うことで自身の振動を抑制する平板部とを有し、全周に亘って互いに繋がって形成されている。又、シール刃１４は、長手方向で全周で繋がって１本のリング状となって形成されている。平板部は翼部２０の凹部側と凸部側共にシール刃１４の先端部から窪みリーデング及びトレーリング部に対して膨らんだ同様の平面形状を有する。
【００１９】
本実施例においては、クリープ損傷が著しいと予測される対象部位１０となるシュラウドカバー根元８近傍を冷却する１本のストレートな貫通冷却孔１２を有する。その貫通冷却孔１２は燃焼ガスを受ける面の腹側とは反対面側の背側のシュラウドカバー根元８に設けられ、前述の対象部位を外れた側部の外表面に開口し、内部冷却孔１１の１つに連なって直線で形成されており、内部冷却孔１１からの空気が貫通冷却孔１２を通って外部に排出される。貫通冷却孔１２は、シュラウドカバー根元８を上限とし、ガスタービン動翼４の全長に対して７５％を下限とする範囲にて施工されるのが好ましい。
【００２０】
図２は、クリープ損傷に対する許容応力（曲げ応力／設計温度での引張強さ）と８使用温度／設計温度）比の関係を示す模式図である。図中、ρは孔の半径、ｘは穴の中心からの距離である。一般に、部品寿命に対するクリープ破断強度の値は、図２に示すように温度の低下に伴い急速に上昇する。又、貫通冷却孔の中心から孔半径の１．８倍以上離れることにより、許容応力の上昇の度合いよりも、応力集中によって作用応力が上昇する度合いの方が小さくなる場合がある。したがって、本実施例は、シュラウドカバー７の根元を上限とし、ガスタービン動翼全長に対して７５％を下限とする範囲にて、翼部表面から翼内部流路へ貫通する冷却孔を形成することが好ましい。
【００２１】
又、タービン動翼４に作用する応力及び温度を予め解析により求め、クリープ損傷が著しいと予測される対象部位１０の冷却を目的とし、その対象部位１０への応力集中の影響が十分低減できる程度に離れた表面から、内部冷却孔１１へ貫通するように貫通冷却孔１２を施工することにより、効果的に冷却強化を図るものである。貫通冷却孔１２は、その開口部を対象部位１０から外れる位置に設けるものである。貫通冷却孔１２の施工はドリル加工、放電加工、レーザ加工のいずれでも良い。
【００２２】
図３は、タービン動翼の内部冷却孔の位置を調べるためのＸ線撮影像を示す模式図である。図３に示すように、タービン動翼４の内部冷却孔の位置決めはＸ線撮影によって、内部冷却孔１１の位置を確認のうえで、冷却孔加工位置１６を指示し、施工することが望ましい。
【００２３】
また、設計時点ではクリープ損傷が軽微と判断された部位が、運用にともないクリープ損傷が著しいと予測される対象部位１０であることが確認された場合にも、同様の貫通冷却孔１２を施工しても良い。
【００２４】
以上、本実施例によれば、タービン動翼に作用する応力及び温度の解析に基づいてシュラウドカバーのクリープ損傷が著しいと予測される対象部位に対して最も加工が容易な直線的な貫通冷却孔を施けるだけで、ガスタービン動翼のクリープ損傷を効果的に低減できるものである。
【実施例２】
【００２５】
図４は、本発明に係るタービン動翼のシュラウドカバーを示す斜視図である。図４に示すように、シュラウドカバー根元８を上限とし、タービン動翼４の全長に対してダブテイル２３から高さ７５％を下限とする範囲にて、翼部の２０表面から内部冷却孔１１に通じる貫通冷却孔１２を有する。貫通冷却孔１２の開口部は実施例１と同様に対象部位１０の側部である。本実施例においても実施例１と同様の全体構造を有するタービン動翼４を有する。
【００２６】
タービン動翼４に作用する応力及び温度を予め解析により求めておき、実施例１と同様の配置でクリープ損傷が著しい対象部位１０への応力集中の影響が十分低減できる程度に離れた表面から、内部冷却孔１１の１つに対して通じるように貫通冷却孔１２を施工すると共に、クリープ損傷が著しい対象部位１０の全面を覆うように熱遮蔽コーティング１５を施工することで、さらに冷却効果の強化を図ることができる。貫通冷却孔１２の施工は、実施例１と同様に行うことができる。本実施例においても、貫通冷却孔１２はタービン動翼４の背側のクリープ損傷が著しい対象部位１０に設けられ、熱遮蔽コーティング１５も同様にタービン動翼４の背側に設けられる。対象部位１０はシュラウドカバー根元８においてそのＲ部で、幅方向に対してその中心部の半分が該当する。
【００２７】
熱遮蔽コーティング１５は、クリープ損傷が著しい対象部位１０とその周辺であるクリープ損傷が著しいと予測される部位の周辺１３を囲むように形成され、下地にＮｉＣｒＡｌＹのＮｉ基合金をプラズマ溶射によって形成後、その上にＹ２Ｏ３安定化材を有するＺｒＯ２のセラミックス粉末をプラズマ溶射によって形成されるのが好ましい。又、設計の時点ではクリープ損傷が軽微と判断された部位が、運用に伴いクリープ損傷が著しい対象部位１０であることが確認された場合にも、同様の冷却孔１２を施工する共に、クリープ損傷が著しい対象部位１０に熱遮蔽コーティング１５を施工することで冷却の強化を図ることができ、実施例１と同様の効果を有する。
【実施例３】
【００２８】
図５は、本発明に係るタービン動翼のシュラウドカバーを示す斜視図である。実施例１では、遠心応力に直交するように貫通冷却孔１２を加工するため、加工前の応力や孔の形状によっては応力集中により図２に示す許容応力を超える場合も考えられる。本実施例では、タービン動翼４に作用する応力及び温度を予め解析により求めておき、クリープ損傷が著しいと予測される部位１０の表面から２０ｍｍ以内に貫通させるように、シール刃１４の長手部に開口しそこから内部冷却孔１１の1つに通じるように貫通冷却孔１２を施工する。又、貫通冷却孔１２は、実施例１と同様にタービン動翼４の背側に設けられ、その施工は、実施例１と同様に行うことができる。内部冷却孔１１はいずれもシュラウドカバー７のシール刃１４以外の平面部に開口して貫通して形成されてる。本実施例においても、実施例１と同様の効果を有する。
【００２９】
設計の時点ではクリープ損傷が軽微と判断された部位が、運用にともないクリープ損傷が著しい対象部位１０であることが確認された場合にも、同様の貫通冷却孔１２を施工しても良い。
【実施例４】
【００３０】
図６は、本発明に係るタービン動翼のシュラウドカバーを示す斜視図である。本実施例では、図５と同様に、クリープ損傷が著しいと予測される部位１０の表面から２０ｍｍ以内に貫通させるように、シール刃１４から内部冷却孔１１へ貫通するように貫通冷却孔１２を施工すると共に、クリープ損傷が著しいと予測される部位１０を実施例２と同様に熱遮蔽コーティング１５を施工することで冷却の強化を図ったものである。本実施例においても、実施例１と同様の効果を有する。
【００３１】
設計の時点ではクリープ損傷が軽微と判断された部位が、運用にともないクリープ損傷が著しい対象部位１０であることが確認された場合にも、同様の貫通冷却孔１２を施工するとともに、クリープ損傷が著しいと予測される部位１０に熱遮蔽コーティング１５を施工することで冷却の強化を図っても良い。
【実施例５】
【００３２】
図７は、本発明に係るタービン動翼のシュラウドカバーを示す斜視図である。本実施例では、図７に示すように、タービン動翼４に作用する応力及び温度を予め解析により求めておき、クリープ損傷が著しい対象部位１０の冷却を目的とし、応力集中部であるシュラウドカバー根元８のＲ部に掛らない下部に開口部を有する位置から、内部冷却孔１１へ通じるように１本の貫通冷却孔１２を施工する。貫通冷却孔１２の施工は、実施例１と同様に行うことができ、本実施例においても、実施例１と同様の効果を有する。
【００３３】
設計の時点ではクリープ損傷が軽微と判断された部位が、運用にともないクリープ損傷が著しい対象部位１０であることが確認された場合にも、同様の貫通冷却孔１２を施工しても良い。
【実施例６】
【００３４】
図８は、本発明に係るタービン動翼のシュラウドカバーを示す斜視図である。本実施例では、図８に示すように、シュラウドカバー根元８を上限とし、そのＲ部に掛からないようにタービン動翼４の全長に対してダブテイル２３から高さ７５％を下限とする範囲にて、翼部表面から前記翼内部流路へ貫通する貫通冷却孔１２を有する。
【００３５】
タービン動翼４に作用する応力及び温度を予め解析により求めておき、クリープ損傷が著しいと予測される部位１０の冷却を目的とし、応力集中部であるシュラウドカバー根元８のＲ部にかからない表面から、内部冷却孔１１へ貫通するように貫通冷却孔１２を施工すると共に、クリープ損傷が著しいと予測される部位１０の全体を覆うように前述の実施例と同様に熱遮蔽コーティング１５を施工することで、さらに冷却の強化を図ったものである。貫通冷却孔１２の施工は、実施例１と同様に行うことができ、本実施例においても、実施例１と同様の効果を有する。
【００３６】
設計の時点ではクリープ損傷が軽微と判断された部位が、運用にともないクリープ損傷が著しい対象部位１０であることが確認された場合にも、同様の貫通冷却孔１２を施工すると共に、クリープ損傷が著しい対象部位１０に熱遮蔽コーティング１５を施工することで冷却の強化を図っても良い。
【実施例７】
【００３７】
図９は、本発明に係るタービン動翼のシュラウドカバーを示す斜視図である。本実施例では、図９に示すように、タービン動翼４に作用する応力及び温度を予め解析により求めておき、クリープ損傷が著しいと予測される部位１０の冷却を目的とし、シール刃１４の平板部の下面における引張の曲げ応力及びその平板部の上面の圧縮の曲げ応力が発生するシュラウドカバー７の平板部の応力中立軸１７を貫通するように貫通冷却孔１２を施工する。
【００３８】
図９（ｂ）に示すように、貫通冷却孔１２はシール刃１４側部端面から連なる平板部の側面部で開口し、その施工は、実施例１と同様に行うことができる。本実施例においても、実施例１と同様の効果を有する。
【００３９】
設計の時点ではクリープ損傷が軽微と判断された部位が、運用にともないクリープ損傷が著しい対象部位１０であることが確認された場合にも、同様の貫通冷却孔１２を施工しても良い。
【実施例８】
【００４０】
図１０は、本発明に係るタービン動翼のシュラウドカバーを示す斜視図である。本実施例における貫通冷却孔１２は、図９と同様に形成されており、タービン動翼４に作用する応力及び温度を予め解析により求めておき、クリープ損傷が著しいと予測される部位１０の冷却を目的とし、下面に引張、上面に圧縮の曲げ応力が発生するシュラウドカバー７の応力中立軸１７を貫通するように貫通冷却孔１２を施工するとともに、クリープ損傷が著しいと予測される部位１０に熱遮蔽コーティング１５を施工することで冷却の強化を図ったものである。貫通冷却孔１２の施工は、実施例１と同様に行うことができる。本実施例においても、実施例１と同様の効果を有する。
【００４１】
設計の時点ではクリープ損傷が軽微と判断された部位が、運用にともないクリープ損傷が著しい対象部位１０であることが確認された場合にも、同様の貫通冷却孔１２を施工すると共に、当該部位１０に熱遮蔽コーティング１５を施工することで冷却の強化を図っても良い。
【実施例９】
【００４２】
図１１は、本発明に係るタービン動翼とそのシュラウドカバーを示す斜視図である。本実施例では、図１１（ｃ）、（ｄ）に示すように、シュラウドカバー７の交換部品１８を予め用意しておき、図１１（ａ）のようにクリープき裂９が確認された場合にその部分を切断し、交換部品１８を電子ビーム溶接、Ｂを含有するＮｉ基合金箔を介在させて接合する液相拡散接合のいずれかにより接合する。
【００４３】
交換部品１８には、図１１（ｄ）に示すように貫通冷却孔１２を設けたものを接合するか、図１１（ｃ）に示すように貫通冷却孔のないものを接合してその後に貫通冷却孔１２を設け、冷却の強化を図ると共に、又、前述と同様にクリープ損傷が著しい対象部位１０の全面を覆うように熱遮蔽コーティング１５を溶射によって施工することで冷却の強化を図ることができる。交換部品１８として、貫通冷却孔１２は実施例１〜６で示した配置に設けることができる。
【実施例１０】
【００４４】
本実施例は、図１２に示したガスタービンの２段目と３段目のタービン動翼に実施例１〜９のいずれかに示した貫通冷却孔を有するタービン動翼を用いるものである。更に、そのガスタービンは、発電機を接続することにより発電することができる。
【００４５】
本実施例によれば、タービン動翼に作用する応力及び温度に基づいてシュラウドカバーのクリープ損傷が著しいと予測される対象部位の冷却を行う貫通冷却孔を施けることで、ガスタービン動翼のクリープ損傷を効果的に低減できるので、タービン動翼の寿命を著しく高めることができるので、ひいてはガスタービン自身の寿命を高め、発電プラントとして安定的に電力等を供給することができる。
【図面の簡単な説明】
【００４６】
【図１】本発明に係るタービン動翼とシュラウドカバーを示す斜視図である。
【図２】クリープ損傷に対する許容応力と温度の関係を示す模式図である。
【図３】動翼の内部冷却孔の位置を調べるためのＸ線撮影像を示す模式図である。
【図４】本発明に係るタービン動翼のシュラウドカバーを示す斜視図である。
【図５】本発明に係るタービン動翼のシュラウドカバーを示す斜視図である。
【図６】本発明に係るタービン動翼のシュラウドカバーを示す斜視図である。
【図７】本発明に係るタービン動翼のシュラウドカバーを示す斜視図である。
【図８】本発明に係るタービン動翼のシュラウドカバーを示す斜視図である。
【図９】本発明に係るタービン動翼のシュラウドカバーを示す斜視図である。
【図１０】本発明に係るタービン動翼のシュラウドカバーを示す斜視図である。
【図１１】本発明に係るタービン動翼のシュラウドカバーを示す斜視図である。
【図１２】ガスタービンの一般的な構造を示す断面図である。
【図１３】従来のタービン動翼のシュラウドカバーを示す斜視図である。
【符号の説明】
【００４７】
１…圧縮機、２…燃焼器、３…タービン、４…タービン動翼、５…タービン静翼、６…タービンロータ、７…シュラウドカバー、８…シュラウドカバー根元、９…クリープき裂、１０…クリープ損傷が著しいと予測される対象部位、１１…内部冷却孔、１２…貫通冷却孔、１３…クリープ損傷が著しいと予測される対象部位の周辺、１４…シール刃、１５…熱遮蔽コーティング、１６…冷却穴加工位置、１７…曲げ応力中立軸、１８…シュラウドカバー交換部品、２０…翼部、２１…プラットフォーム、２２…シャンク、２３…ダブテイル。
【図１】
2006316750.tif 000003
【図２】
2006316750.tif 000004
【図３】
2006316750.tif 000005
【図４】
2006316750.tif 000006
【図５】
2006316750.tif 000007
【図６】
2006316750.tif 000008
【図７】
2006316750.tif 000009
【図８】
2006316750.tif 000010
【図９】
2006316750.tif 000011
【図１０】
2006316750.tif 000012
【図１１】
2006316750.tif 000013
【図１２】
2006316750.tif 000014
【図１３】
2006316750.tif 000015